(57)【要約】      （修正有）【課題】外側シート部材を介して吸収性物品の内部から抜け出した水蒸気の結露により吸収性物品の外側及び周辺が濡れるのを防止できる吸収性物品を提供する。【解決手段】この吸収性物品は、着用者の股部を含む領域にあてがわれるものであって、水分を吸収する吸収コア１１と、少なくとも一部の領域が透水性を有し、吸収コア１１の肌面側に配置される内側シート部材１２と、吸収コア１１の外面側に配置される外側シート部材１３とを備える。外側シート部材１３は、通気性と防水性とを有する多孔性樹脂フィルムと、通気性を有し、多孔性樹脂フィルムの外面側に重ね合わされる外装シートと、吸水性ポリマーが混入され、多孔性樹脂フィルムと外装シートとの間に付与され、両者を接合する接着剤とを備える。【選択図】図１
2011182907.tif 000002
【特許請求の範囲】
【請求項１】
着用者の股部を含む領域にあてがわれる吸収性物品であって、
水分を吸収する吸収コアと、
少なくとも一部の領域が透水性を有し、前記吸収コアの肌面側に配置される内側シート部材と、
前記吸収コアの外面側に配置される外側シート部材と、
を備え、
前記外側シートは、
通気性と防水性とを有する多孔性樹脂フィルムと、
通気性を有し、前記多孔性樹脂フィルムの外面側に重ね合わされる外装シートと、
吸水性ポリマーが混入され、前記多孔性樹脂フィルムと前記外装シートとの間に付与され、両者を接合する接着剤とを備えることを特徴とする吸収性物品。
【請求項２】
請求項１に記載の吸収性物品において、
前記外装シートは、不織布により形成されることを特徴とする吸収性物品。
【請求項３】
請求項１又は請求項２に記載の吸収性物品は、尿吸収パッドであることを特徴とする吸収性物品。
【発明の詳細な説明】
【技術分野】
【０００１】
本発明は、着用者の股部を含む領域にあてがわれる吸収性物品に関する。
【背景技術】
【０００２】
最近の吸収性物品では、蒸れ防止のために、外側シート部材が通気性を有しているものが多い。例えば、特許文献１に記載の吸収性物品では、外側シート部材に多孔性樹脂フィルムと不織布とを貼り合わせたものが用いられている。外側シート部材に多孔性樹脂フィルムを用いることにより、吸収性物品の内部の水蒸気が外側シート部材を透して吸収性物品の外部に逃がされ、蒸れ防止等が図られる。また、多孔性樹脂フィルムに不織布を貼り合わせることにより、外側シート部材の強度改善又は風合い改善等が図られている。
【先行技術文献】
【特許文献】
【０００３】
【特許文献１】特開２００４−１３６６７８号公報
【発明の概要】
【発明が解決しようとする課題】
【０００４】
しかしながら、上述の如く、吸収性物品の外側シート部材に通気性を持たせたために、外側シート部材を介して吸収性物品の外部に抜け出した水蒸気が、内外の温度差によって結露となり、着用者の肌又は着用者が着用している他の着用物品を濡らしてしまうという問題がある。結露により肌又は着用物品が濡れると、不快であるとともに、着用物品を交換しなければならない場合もある。
【０００５】
例えば、上述の吸収性物品が使い捨ておむつの肌面側に重ねて使用される尿吸収パッドである場合、外側シート部材を介して尿吸収パッドの外部に抜け出した水蒸気の結露によって、外側のおむつが濡れてしまうことがある。この場合、尿等の排泄物が付着等していないのにかかわらず、外側のおむつの交換が必要になることがある。
【０００６】
そこで、本発明の解決すべき課題は、外側シート部材を介して吸収性物品の内部から抜け出した水蒸気の結露により吸収性物品の外側及び周辺が濡れるのを防止できる吸収性物品を提供することである。
【課題を解決するための手段】
【０００７】
上記の課題を解決するため、請求項１の発明では、着用者の股部を含む領域にあてがわれる吸収性物品であって、水分を吸収する吸収コアと、少なくとも一部の領域が透水性を有し、前記吸収コアの肌面側に配置される内側シート部材と、前記吸収コアの外面側に配置される外側シート部材とを備え、前記外側シートは、通気性と防水性とを有する多孔性樹脂フィルムと、通気性を有し、前記多孔性樹脂フィルムの外面側に重ね合わされる外装シートと、吸水性ポリマーが混入され、前記多孔性樹脂フィルムと前記外装シートとの間に付与され、両者を接合する接着剤とを備える。
【０００８】
また、請求項２の発明では、請求項１の発明に係る吸収性物品において、前記外装シートは、不織布により形成される。
【０００９】
また、請求項３の発明では、請求項１又は請求項２の発明に係る吸収性物品は、尿吸収パッドである。
【発明の効果】
【００１０】
請求項１に記載の発明によれば、吸収性物品の外側シート部材において、多孔性樹脂フィルムと外装シートとを接合する接着剤に吸水性ポリマーが混入されている。それ故、外側シート部材の多孔性樹脂フィルムを介して吸収性物品の内部から抜け出した水蒸気の結露が、接着剤に混入された吸水性ポリマーにより吸収されるため、結露により吸収性物品の外側及び周辺が濡れるのを防止できる。その結果、結露により肌又は他の着用物品が濡れる等の不都合を回避できる。
【００１１】
また、外装シートは通気性を有しているため、外側シート部材の通気性を損なうことがない。これによって、吸収性物品内部の蒸れ防止能力を損なうこともない。
【００１２】
請求項２に記載の発明によれば、外装シートが安価な不織布により形成されるため、吸収性物品のコストを抑制できる。また、外側シート部材の外面の風合いを改善しながら、外側シート部材の引っ張り強度を効果的に補強できる。
【００１３】
請求項３に記載の発明によれば、外側シート部材を介して尿吸収パッドの外部に抜け出した水蒸気の結露によって、外側のおむつ等が濡れるのを防止でき、外側のおむつ等の交換頻度を抑制できる。
【図面の簡単な説明】
【００１４】
【図１】本発明の一実施形態に係る吸収性物品としての尿吸収パッドの断面図である。
【図２】図１の尿吸収パッドの外側シート部材の構成を示す断面図である。
【発明を実施するための形態】
【００１５】
図１及ぶ図２を参照して、本発明の一実施形態に係る吸収性物品としての尿吸収パッドについて説明する。
【００１６】
本実施形態に係る尿吸収パッド１０は、テープ型又はパンツ型のおむつ等の股部の内側に敷き込まれて用いられる使い捨て吸収性物品である。この尿吸収パッド１０をおむつ等の内側に敷き込むことにより、おむつの吸液容量が補強され、多量の尿が排尿された場合又は多量の水分を含んだ軟便が排便された場合に対応できるようになる。また、尿等の排泄物が比較的少量である場合には、尿吸収パッド１０をおむつ等の内側に敷き込んでおくことにより、内側の尿吸収パッド１０のみを交換し、外側のおむつ等はそのまま継続して使用できるため、おむつ等の交換頻度を低減できる等の利点もある。
【００１７】
なお、本実施形態では本発明を尿吸収パッド１０に適用した場合について説明したが、本発明をテープ型又はパンツ型の使い捨ておむつに適用してもよい。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００１８】
この尿吸収パッド１０は、図１に示すように、吸収コア１１、内側シート部材１２及び外側シート部材１３を備えている。吸収コア１１は、着用者が排泄した排泄液（例えば、尿又は便に含まれる水分等）を吸収する。より具体的には、吸収コア１１は、吸収素材１１１と、透水性を有し、吸収素材１１１を包装する包装シート（例えば、ティッシュペーパー）１１２とを備えている。吸収素材１１１は、例えば、集合された繊維により構成された繊維集合体と、その繊維集合体に混入又は添加された吸水性ポリマーとによって構成される。
【００１９】
内側シート部材１２は、少なくとも一部の領域が透水性を有し、吸収コア１１の肌面側に配置されている。内側シート部材１２は、内側シート部材本体２１、左右の起立シート部２２、及び左右の弾性部材２３を備えている。左右の弾性部材２３は、左右の起立シート部２２の先端部に縦方向（前後方向）に伸張された状態でそれぞれ付与されており、その収縮力によって起立シート部２２を着用者の肌面に向けて起立させる。この弾性部材２３及び起立シート部２２によって立体ギャザーが構成されており、この立体ギャザーにより排泄された尿及び便の横漏れが防止される。なお、この弾性部材２３及び起立シート部２２は省略してもよい。
【００２０】
内側シート部材１２の内側シート部材本体２１及び起立シート部２２は、例えばトップシート２４及び左右のサイドシート２５によって構成される。トップシート２４は、水を透す透水性を有し、内側シート部材本体２１の横方向（左右方向）の中央部に縦方向に沿って配置されている。左右のサイドシート２５は、疎水性不織布等により形成され、トップシート２４の横方向の両側の部分に肌面側から重なるように、縦方向に沿って配置され、トップシート２４の横方向の両側の部分と接着剤（例えば、ホットメルト接着剤）等の接合手段によって接合されている。
【００２１】
外側シート部材１３は、通気性と水を遮断する防水性とを有し、吸収コア１１の外面側に配置されている。より具体的には、外側シート部材１３は、図２に示すように、多孔性樹脂フィルム３１、外装シート３２及び接着剤３３を備えて構成されている。
【００２２】
多孔性樹脂フィルム３１は、多数の微細な孔が形成された樹脂フィルムであり、水蒸気を透す通気性と水を遮断する防水性とを有し、外側シート部材１３における肌面側表面に配置される。フィルム３１に形成される孔の径は、水蒸気は透すが、水は透さない程度の大きさに設定される。このような多孔性樹脂フィルム３１は、例えば、フィルム樹脂材料に無機充填材を混合してシート状に成形した後、そのシートを１軸又は２軸方向に延伸する方法等によって得られる。
【００２３】
外装シート３２は、通気性を有し、多孔性樹脂フィルム３１の外面側に重ね合わされる。外装シート３２の素材としては、例えば不織布が用いられる。
【００２４】
接着剤３３は、吸水性ポリマーが混入された接着剤（例えば、ホットメルト接着剤）が用いられ、多孔性樹脂フィルム３１と外装シート３２との間に付与され、両者を接合する。なお、この点に関し、多孔性樹脂フィルム３１と外装シート３２とを接合する接着剤の全体に、吸水性ポリマーが混入された接着剤を用いる構成の他に、多孔性樹脂フィルム３１と外装シート３２との間における一部の領域（例えば、結露の生じやすい中央部等）に吸水性ポリマーが混入された接着剤を付与し、他の領域については通常の接着剤を付与する構成が採用可能でさる。後者の構成の場合、接着剤中の吸収性ポリマーが水分を吸収した際、その影響で接着剤の接合強度の低下が生じる範囲を抑制しながら、結露が生じやすい領域（例えば、中央部等）については、接着剤に混入した吸水性ポリマーにより結露を的確に吸収できる。
【００２５】
本実施形態に係る尿吸収パッド１０では、上記の如く、外側シート部材１３において、多孔性樹脂フィルム３１と外装シート３２とを接合する接着剤３３に吸水性ポリマーが混入されている。それ故、外側シート部材１３の多孔性樹脂フィルム３１を介して尿吸収パッド１０の内部から抜け出した水蒸気の結露が生じた際に、その結露が接着剤３３に混入された吸水性ポリマーにより吸収されるため、結露により尿吸収パッド１０の外側及び周辺が濡れるのを防止できる。その結果、結露により肌又は他の着用物品（例えば、外側のおむつ等）が濡れる等の不都合を回避できる。これにより、外側のおむつ等の交換頻度を抑制できる。
【００２６】
また、外装シート３２は通気性を有しているため、外側シート部材１３の通気性を損なうことがない。これによって、尿吸収パッド１０内部の蒸れ防止能力を損なうこともない。
【００２７】
また、外装シート３２が安価な不織布により形成されるため、尿吸収パッド１０のコストを抑制できる。また、外側シート部材１３の外面の風合いを改善しながら、外側シート部材１３の引っ張り強度を効果的に補強できる。
【符号の説明】
【００２８】
１０  尿吸収パッド、１１  吸収コア、１１１  吸収素材、１１２  包装シート、１２  内側シート部材、１３  外側シート部材、２１  内側シート部材本体、２２  起立シート部、２３  弾性部材、２４  トップシート、２５  サイドシート、３１  多孔性樹脂フィルム、３２  外装シート、３３  接着剤。
【図１】
2011182907.tif 000003
【図２】
2011182907.tif 000004